(57)【要約】【課題】横置き状態の保管及び使用を考慮した飲料注出器を提供する。【解決手段】飲料容器１００の口部１０１に装着されるディスペンスヘッド２を具備し、そのディスペンスヘッド２には、注出用のガスを飲料容器１００内に導くガス導入路１６と、飲料の注出路１８と、注出路１８を開閉する注出弁３０とが設けられた飲料注出器１において、飲料容器１００を横向きにして水平面Ｈ上に載置した際に、飲料容器１００の底部１０２よりも口部１０１が高くなる斜め方向の傾きを飲料容器１００に付与する傾斜付与手段４を設ける。【選択図】    図１
2004224391.tif 000002
【特許請求の範囲】
【請求項１】
飲料容器の口部に装着されるディスペンスヘッドを具備し、該ディスペンスヘッドには、注出用のガスを前記飲料容器内に導くガス導入路と、飲料の注出路と、前記注出路を開閉する注出弁とが設けられた飲料注出器において、前記飲料容器を横向きにして水平面上に載置した際に、当該飲料容器の底部よりも前記口部が高くなる斜め方向の傾きを前記飲料容器に付与する傾斜付与手段を備えたことを特徴とする飲料注出器。
【請求項２】
前記注出路の飲料容器側の端部にチューブが接続され、該チューブの先端は前記飲料容器の内底にほぼ達していることを特徴とする請求項１に記載の飲料注出器。
【請求項３】
前記チューブには螺旋を描くように巻かれたコイル部が設けられていることを特徴とする請求項２に記載の飲料注出器。
【請求項４】
前記ディスペンスヘッドには、前記飲料容器内の残留ガスを排出するガス放出路と、前記ガス放出路内を前記飲料容器外へ向かう方向の流れを阻止する逆止弁と、前記逆止弁を押し開く解除手段とが設けられていることを特徴とする請求項１〜３のいずれか１項に記載の飲料注出器。
【請求項５】
飲料容器の口部に装着されるディスペンスヘッドを具備し、該ディスペンスヘッドには、注出用のガスを前記飲料容器内に導くガス導入路と、飲料の注出路と、前記注出路を開閉する注出弁と、前記飲料容器内の残留ガスを排出するガス放出路と、前記ガス放出路内を前記飲料容器外へ向かう方向の流れを阻止する逆止弁と、前記逆止弁を押し開く解除手段とが設けられていることを特徴とする飲料注出器。
【請求項６】
飲料容器の口部に装着されるディスペンスヘッドを具備し、該ディスペンスヘッドには、注出用のガスを前記飲料容器内に導くガス導入路と、飲料の注出路と、前記注出路を開閉する注出弁とが設けられた飲料注出器において、前記飲料容器の軸線方向に関する前記飲料容器の口部からの前記ディスペンスヘッドの突出量が４０〜７０ｍｍの範囲であることを特徴とする飲料注出器。
【請求項７】
飲料容器の口部に装着されるディスペンスヘッドを具備し、該ディスペンスヘッドには、注出用のガスを前記飲料容器内に導くガス導入路と、飲料の注出路と、前記注出路を開閉する注出弁とが設けられた飲料注出器において、前記注出路の飲料容器側の端部にチューブが接続され、該チューブの先端は前記飲料容器の内底にほぼ達するとともに、前記チューブには螺旋を描くように巻かれたコイル部が設けられていることを特徴とする飲料注出器。
【発明の詳細な説明】
【０００１】
【発明の属する技術分野】
本発明は、飲料容器から飲料を注出するための飲料注出器に関する。
【０００２】
【従来の技術】
料飲店にて提供される泡立ちのよい本格的なビールを家庭でも味わいたいという消費者の要望に応えて、近年、家庭用の小型の飲料注出器（ビールサーバーと呼ばれている。）が種々開発されて市場に提供されている。その一種として、容量１．５Ｌ程度のビール缶の口部に装着可能であり、しかも、ビール缶に装着されたまま家庭用冷蔵庫のドアポケットに保管できるようにしたビールサーバーが提供されている。
【０００３】
【発明が解決しようとする課題】
従来のビールサーバーは、ビール缶を、その口部が上に缶底が下にそれぞれ向けられた縦置き姿勢で使用されかつ保管されることを前提として設計されている。しかし、消費者によっては、ビール缶を縦置きではなく口部及び缶底を横に向けた横置き姿勢で使用し、また保管することを望む場合がある。
【０００４】
そこで、本発明は横置き状態の保管及び使用を考慮した飲料注出器を提供することを目的とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
本発明の第１の飲料注出器は、飲料容器（１００）の口部（１０１）に装着されるディスペンスヘッド（２）を具備し、該ディスペンスヘッドには、注出用のガスを前記飲料容器内に導くガス導入路（１６）と、飲料の注出路（１８）と、前記注出路を開閉する注出弁（３０）とが設けられた飲料注出器であって、前記飲料容器を横向きにして水平面上に載置した際に、当該飲料容器の底部（１０２）よりも前記口部が高くなる斜め方向の傾きを前記飲料容器に付与する傾斜付与手段（４）を備えることにより、上述した課題を解決する。
【０００７】
この飲料注出器によれば、飲料容器を横置き姿勢で水平面上に置いた場合、飲料容器がその口部を斜め上に向けた状態に維持されるので、飲料容器内のガスが口部側に集まり、ガス導入路の飲料容器側の流入口が飲料で浸されにくくなる。そのため、横置き姿勢で飲料を注出した場合において、飲料中へのガスの放出による泡立ちを防止しつつ飲料容器内へ注出用のガスを円滑に導入することができる。
【０００８】
本発明の飲料注出器においては、前記注出路の飲料容器側の端部にチューブ（２５）が接続され、該チューブの先端（２５ａ）は前記飲料容器の内底（１０５）にほぼ達していることが好ましい。内底付近に達するチューブによれば、飲料容器の傾きに起因して飲料容器の内底側に集められた飲料の残液を効率よく取り出し、限界まで注出したときの飲料の残留量を減らすことができる。
【０００９】
前記チューブには螺旋を描くように巻かれたコイル部（２５ｂ）が設けられてもよい。コイル部を設けることによりチューブの実際の長さを十分に確保して注出される飲料の流れに適切な抵抗を与えるとともに、チューブの見かけ上の長さ（一端から他端までの距離）を短縮して飲料容器の限られたスペースにチューブを収めることができる。
【００１０】
前記ディスペンスヘッドには、前記飲料容器内の残留ガスを排出するガス放出路（５１）と、前記ガス放出路内を前記飲料容器外へ向かう方向の流れを阻止する逆止弁（５２、６２）と、前記逆止弁を押し開く解除手段（５３）とが設けられてもよい。この場合には解除手段を利用して意図的に逆止弁を解除しない限りガス放出路が閉鎖されているので、ガス放出路に飲料が侵入してガス放出時に飲料が噴出するおそれを排除することができる。特にガス放出路の飲料容器内の開口部に逆止弁（６２）を設けると効果的である。なお、ここでいう残留ガスは注出用のガスに制限されることなく、飲料容器内に閉じ込められ得る各種の気体を含む概念である。例えば、ディスペンスヘッドを飲料容器に取り付ける際に飲料容器内に混入する空気も残留ガスの一種である。
【００１１】
本発明の第２の飲料注出器は、飲料容器（１００）の口部（１０１）に装着されるディスペンスヘッド（２）を具備し、該ディスペンスヘッドには、注出用のガスを前記飲料容器内に導くガス導入路（１６）と、飲料の注出路（１８）と、前記注出路を開閉する注出弁（３０）と、前記飲料容器内の残留ガスを排出するガス放出路（５１）と、前記ガス放出路内を前記飲料容器外へ向かう方向の流れを阻止する逆止弁（５２、６２）と、前記逆止弁を押し開く解除手段（５３）とが設けられることにより、上述した課題を解決する。
【００１２】
この飲料注出器においても、上記と同様の理由によりガス放出路からの飲料の噴出を防止することができる。逆止弁は特にガス放出路の飲料容器内の開口部に設けると効果的である。残留ガスの意味は上記と同様である。
【００１３】
本発明の第３の飲料注出器は、飲料容器（１００）の口部（１０１）に装着されるディスペンスヘッド（２）を具備し、該ディスペンスヘッドには、注出用のガスを前記飲料容器内に導くガス導入路（１６）と、飲料の注出路（１８）と、前記注出路を開閉する注出弁（３０）とが設けられた飲料注出器において、前記飲料容器の軸線方向に関する前記飲料容器の口部からの前記ディスペンスヘッドの突出量（ｈ）が４０〜７０ｍｍの範囲とされたものである。このような範囲でディスペンスヘッドを突出させた場合には、飲料注出器を装着したまま飲料容器を冷蔵庫に収容しても場所をとらず、冷蔵庫への保管が容易に行える。また、ディスペンスヘッドの機構設計に過度な無理も生じない。
【００１４】
本発明の第４の飲料注出器は、飲料容器（１００）の口部（１０１）に装着されるディスペンスヘッド（２）を具備し、該ディスペンスヘッドには、注出用のガスを前記飲料容器内に導くガス導入路（１６）と、飲料の注出路（１８）と、前記注出路を開閉する注出弁（３０）とが設けられた飲料注出器において、前記注出路の飲料容器側の端部にチューブ（２５）が接続され、該チューブの先端（２５ａ）は前記飲料容器の内底（１０５）にほぼ達し、前記チューブには螺旋を描くように巻かれたコイル部（２５ｂ）が設けられているものである。
【００１５】
このようなコイル部を設けることにより、上述したようにチューブの実際の長さを十分に確保して注出される飲料の流れに適切な抵抗を与えるとともに、チューブの見かけ上の長さ（一端から他端までの距離）を短縮して飲料容器の限られたスペースにチューブを収めることができる。なお、このようなチューブは、飲料容器が横置きされる場合に限らず、縦置きされる場合にも有効に機能する。
【００１６】
【発明の実施の形態】
図１は本発明の一実施形態に係る飲料注出器を示している。飲料注出器１は、飲料容器としてのビール缶１００の口部１０１に装着されるディスペンスヘッド２と、ディスペンスヘッド２に接続されるガスボンベ３と、傾斜付与手段としてのサポート４とを備えている。ビール缶１００は縦長の概略円筒形に形成されており、その容量は例えば１．５Ｌである。但し、飲料容器の形状及び容量はこのような態様に限定されない。
【００１７】
サポート４はビール缶１００を横向きにして水平面Ｈ上に載置した際に、水平面Ｈとビール缶１００との間に介装されてビール缶１００の底部１０２よりも口部１０１が高くなる斜め方向の傾きをビール缶１００に付与する。サポート４は樹脂、軽金属、セラミックス等の各種素材から形成することができる。但し、ビールに触れても変質しない材料にてビール缶１００を形成することが望ましい。図２に示したように、サポート４の上面４ａの少なくとも一部をビール缶１００の缶胴１０３の外周面に倣って円弧状に湾曲させ、下面４ｂは平面状に形成することが好ましい。但し、下面４ｂには滑り止め等を目的とした凹凸を適宜設けてもよい。サポート４はビール缶１００と単に接しているだけでもよいし、弾性変形に対する復元力や吸盤による吸着力等を利用してビール缶１００に取り付けられてもよい。サポート４の位置のずれを防ぐためにはサポート４をビール缶１００に取り付けることが望ましい。
【００１８】
ディスペンスヘッド２は、ヘッド部１０と、注出部１１とを備えている。ヘッド部１０は、ガスボンベ３から送られる注出用のガス（好適には炭酸ガス）をビール缶１００内に導入するとともに、そのガスにて押し出されるビールを注出部１１に導く。注出部１１には、ビールをグラス等に注ぐためのノズル１２と、ビールの注出及びその停止を切り替えるためのレバー１３とが設けられている。レバー１３は例えば図１に示す中立位置から図中の左右方向に操作可能である。ノズル１２はレバー１３の取り付け位置の前方（図１の右方）において下り勾配を描くように延びている。ヘッド部１０にはガスボンベ３のボンベ接続部１４が設けられている。ボンベ接続部１４の位置は、ノズル１２の先端を下に向けたときにヘッド部１０の上方を向くように定められている。従って、ボンベ接続部１４に接続されたガスボンベ３はビール缶１００の上方に幾らか突出する。但し、ガスボンベ３の向きは、ディスペンスヘッド２を取り付けたままビール缶１００を冷蔵庫内に収めるときに邪魔にならないように設定することが望ましい。ガスボンベ３をビール缶１００の缶胴１０３に取り付けてもよい。
【００１９】
ビール缶１００の軸線方向に関して、ビール缶１００の口部１０１からのディスペンスヘッド２の突出量ｈ（口部１０１の端面からノズル１２までの距離）は４０ｍｍ〜７０ｍｍの範囲に制限することが好ましい。この程度の突出量であれば、ディスペンスヘッド２を装着したままビール缶１００を冷蔵庫に収容しても場所をとらず、冷蔵庫への保管が容易に行える。また、ディスペンスヘッド２の突出量を過度に制限しないことにより、ディスペンスヘッド２の設計に無理が生じない。
【００２０】
次に、図３〜図６を参照してヘッド部１０の内部構造を説明する。図３に示すように、ヘッド部１０はビール缶１００の雄ねじ部１０４にねじ込まれる概略円柱形の本体１５を備えている。本体１５は樹脂等で形成され、そこにはボンベ接続部１４とビール缶１００の内部とを結ぶガス導入路１６と、ビール缶１００の内部とノズル１２とを結ぶ注出路１８とが形成されている。
【００２１】
ガス導入路１６の一端はボンベ接続部１４の配管部１４ａと接合されている。その配管部１４ａの他端には継手１４ｂが設けられており、ガスボンベ３は継手１４ｂに対して着脱される。継手１４ｂには、ガスボンベ３の種類に応じて様々な規格のものを使用してよい。なお、ボンベ接続部１４にはガスボンベ３から供給されるガスの圧力を適切な値に調整する圧力調整手段（例えば減圧弁）を設けることが望ましい。
【００２２】
ガス導入路１６の末端にはガスノズル１９が設けられている。ガスボンベ３からガス導入路１６に導かれた注出用のガスはガスノズル１９から高圧室２０に流入する。高圧室２０は、本体１５の一端（図３の左端）からビール缶１００の内部に突出するように設けられた環状壁２１と、その環状壁２１を閉じるリッド２２とによって囲まれている。環状壁２１とリッド２２との接合部はＯリング２３にてシールされている。本体１５には、注出路１８の流入部１８ａを形成するための連結管部２４が高圧室２０内に突出するように形成され、その連結管部２４にはチューブ２５が接続されている。チューブ２５はリッド２２のガス導入孔２２ａを通過してビール缶１００の内部に挿入される。
【００２３】
チューブ２５はガスボンベ３から高圧室２０に導かれる圧力によって撓み得る柔軟な素材で形成されることにより、ガス導入孔２２ａを開閉する弁体として機能する。すなわち、高圧室２０の圧力が所定レベルよりも低いときはチューブ２５がガス導入孔２２ａを塞いで高圧室２０内にガスが閉じ込められる。高圧室２０の圧力が所定レベル以上に上昇するとチューブ２５が半径方向中心側に撓んでチューブ２５とガス導入孔２２ａとの間に隙間が発生し、その隙間を介して高圧室２０のガスがビール缶１００内に流入する。
【００２４】
図４に示すように、チューブ２５の先端２５ａはビール缶１００の内底１０５にほぼ達している。なお、ビール缶１００を横向きに置いたままビールを注出する際にチューブ２５の先端２５ａを内底１０５の下側に偏らせてビール缶１００内の残液量を減らすため、チューブ２５の先端２５ａの付近にウエイト２６を取り付けてもよい。また、チューブ２５の途中には螺旋状に巻かれたコイル部２５ｂを設けるとよい。コイル部２５ｂを設けることにより、チューブ２５の流路抵抗を注出速度からみた適切な値に維持しつつ、チューブ２５の見かけの長さＬをビール缶１００の限られた高さ（底部１０２から口部１０１までの距離）内に収めることができる。なお、このような作用効果はビール缶１００が縦置きされた場合にも得られる。
【００２５】
図３に示すように、本体１５内には注出路１８を開閉する注出弁３０が設けられている。注出弁３０は、注出路１８の途中の弁室１８ｂに挿入された第１スプール３１及び第２スプール３２を備えている。第１スプール３１は、スプール本体３３とそのスプール本体３３の一端に固定されるキャップ３４とを備えている。スプール本体３３は弁室１８ｂに装着されたスリーブ３５の内周面に沿って摺動可能であり、その外周とスリーブ３５との間はＯリング３６にてシールされている。Ｏリング３６によるシール位置よりもビール缶１００側においてスプール本体３３の外周にはスリーブ３５から半径方向に後退した環状の溝部３７が形成されている。溝部３７はスリーブ３５の連絡孔３５ａと接続され、その連絡孔３５ａは本体１５に設けられた注出路１８の流出部１８ｃと接続されている。流出部１８ｃは注出部１１のノズル１２に通じている。
【００２６】
一方、第１スプール３１のキャップ３４は概略円筒形に形成され、その先端（図３の左端）には弁室１８ｂのテーパ面１８ｄとテーパ率を同じくするテーパ面３４ａが設けられている。また、キャップ３４の中心部にはオリフィス３４ｂが形成されている。オリフィス３４ｂを通過したビールを第１スプール３１の外周に導くため、スプール本体３３には第１連絡通路３８及び第２連絡通路３９が形成されている。また、スプール本体３３には第２スプール３２を拘束するための爪３３ａが形成されている。
【００２７】
第１スプール３１の外周にはコイルばね４０が設けられている。コイルばね４０の一端はキャップ３４に接し、他端は第２スプール３２に接している。炭酸ガスによる圧力により第２スプール３２はスリーブ３５の弁座３５ｂ側に押されている。第２スプール３２の外周面と弁室１８ｂの内周面との間には隙間が設けられており、当該隙間がビール通路４１として機能する。ビール通路４１はビールを液体のまま通過させるようにその寸法が設定されている。例えば、第２スプール３２の外周面と弁室１８ｂの内周面との間の隙間を１ｍｍ程度に設定すればよい。
【００２８】
注出弁３０の第１スプール３１は注出部１１のレバー１３（図１参照）の操作に連動して軸線方向に往復駆動される。第１スプール３１の移動に応じて注出弁３０の動作は以下のように切り替わる。
【００２９】
まず、レバー１３が図１の中立位置に維持されているときは第１スプール３１が図３の位置に保持される。この状態では、第２スプール３２が弁座３５ｂと密着してビール通路４１と溝部３７との間が遮断される。第１スプール３１の爪３３ａは第２スプール３２と弁座３５ｂとの密着を損なわないように第２スプール３２から注出部１１側に僅かに逃げている。さらに、第１スプール３１の第２連絡通路３９は第２スプール３２によって外周側から閉じられる。従って、注出路１８は閉じた状態となり、ビール缶１００内のビールを注出部１１に送ることはできない。
【００３０】
レバー１３が所定方向に操作されて第１スプール３１が図３の位置よりもビール缶１００側（図３の左側）に移動した場合には、図５（ａ）に示すように第１スプール３１の爪３３ａによって第２スプール３２もビール缶１００側に押し込まれ、第２スプール３２が弁座３５ｂから離れる。これにより、注出用のガスに押されてビール缶１００から注出路１８の流入部１８ａに流入した液状のビールが、ビール通路４１、溝部３７及びスリーブ３５の連絡孔３５ａを順次通過して注出路１８の流出部１８ｃに導かれる。その結果、ノズル１２から液状のビールが注出される。
【００３１】
一方、レバー１３が上記とは逆方向に操作されて第１スプール３１が図３の位置よりも注出部１１側（図３の右側）に移動した場合には、図５（ｂ）に示すように、第２スプール３２が弁座３５ｂに密着したままの状態で、第１スプール３１がばね４０を圧縮しながら移動して第２連絡通路３９が第２スプール３２の側方に露出する。これにより、注出用のガスに押されてビール缶１００から注出路１８の流入部１８ａに流入した液状のビールは、オリフィス３４ｂを通過して第１連絡通路３８に入り、さらには第２連絡通路３９、溝部３７及びスリーブ３５の連絡孔３５ａを順次通過して注出路１８の流出部１８ｃに導かれる。第２連絡通路３９を抜けてスリーブ３５の内壁に当たる際にビールが泡状に変化し、その結果、ノズル１２からは泡状のビールが注出される。
【００３２】
このように注出弁３０によれば、ビールを液状のまま、又は泡状にしてノズル１２から注出できる。なお、レバー１３と第１スプール３１との連動には種々の機構を利用してよい。例えばカム機構、リンク機構を利用してレバー１３の動作を第１スプール３１の往復動作に変換することができる。
【００３３】
図６に示すように、ディスペンスヘッド２にはパージ機構５０が設けられている。パージ機構５０は高圧室２０に溜まった空気等を放出するために設けられている。パージ機構５０は、本体１５に設けられたガス放出路５１と、そのガス放出路５１を開閉する逆止弁５２と、逆止弁５２を押し開く解除手段としてのロッド５３とを備えている。ガス放出路５１の一端は高圧室２０に開口し、他端はディスペンスヘッド２の外部に通じている。
【００３４】
逆止弁５２はガス放出路５１の高圧室２０側の端部に設けられた弁室５１ａに摺動自在に装着された弁体５４と、その弁体５４を本体１５と一体の弁座５５に向かって押し出すコイルばね５６と、弁体５４と弁座５５との間に介在されるＯリング５７と、コイルばね５６を圧縮状態で弁室５１ａに閉じ込めるためのキャップ５８とを備えている。キャップ５８には弁室５１ａと高圧室２０とを結ぶ貫通孔５８ａが設けられている。
【００３５】
ロッド５３はガス放出路５１に挿通され、その先端は弁体５４の操作軸部５４ａと嵌合する。ロッド５３の他端はディスペンスヘッド２の外部から弁室５１ａ側に向けて押し込み操作可能とされている。なお、ロッド５３は本体１５に対して抜け止めされている。また、弁体５４の外周面と弁室５１ａとの内周面との間、及びロッド５３の外周面とガス放出路５１の内周面との間にはそれぞれガス放出に十分な隙間が設けられている。
【００３６】
さらに、弁体５４にはロッド６０がロッド５３と同軸に設けられている。ロッド６０の先端はキャップ５８の貫通孔５８ａを抜けて高圧室２０に達している。そのロッド６０の先端にはさらなる弁体６１が設けられている。弁体６１はロッド５３が押されていない場合にキャップ５８の端面と密着してガス放出路５１の高圧室２０への開口端を閉鎖する。ロッド５３が押し込み操作されると弁体６１がキャップ５８から離れ、高圧室２０からガス放出路５１へガスを逃がすことが可能となる。これにより、弁体６１とキャップ５８とは高圧室２０内へのガス放出路５１の開口部において逆止弁６２を構成する。
【００３７】
以上のパージ機構５０によれば、ロッド５３に押し込み力が作用していない状態では弁体５４がコイルばね５６の力で弁座５５側に押し付けられ、弁体５４、Ｏリング５７及び弁座５５の間がシールされるとともに、弁体６１がキャップ５８と密着して高圧室２０とガス放出路５１との間が遮断される。しかしながら、ロッド５３にて弁体５４をビール缶１００側に押し込めば弁体５４が弁座５５から離間してＯリング５７によるシール作用が失われるとともに、弁体６１もキャップ５８から離れる。これにより、弁体５４及びロッド５３とガス放出路５１との隙間を介して高圧室２０内の空気やガスがディスペンスヘッド２外へ放出される。
【００３８】
以上の飲料注出器１によれば、ビール缶１００を横向きに設置する際にサポート４を利用して口部１０１を底部１０２よりも持ち上げるようにしたので、ビール缶１００内に残されているガスを口部１０１側に集めて高圧室２０やそのガス導入孔２２ａがビールに浸されることを防止できる。従って、注出用ガスがビール内に吹き込まれてビールが泡立てられるおそれがなく、注出用のガスを缶内に円滑に流入させることができる。また、ビールの残留量が僅かになったとき、サポート４にて付与される傾斜を利用して缶内のビールの残液を内底１０５側に集め、その残液をチューブ２５によって効率よく注出することができる。従って、限界まで注出したときのビールの残留量を減らすことができる。さらに、高圧室２０からのパージ機構５０に逆止弁５２、６２を組み込んだので、高圧室２０からガス放出路５１にビールが侵入するおそれがなく、ガス抜きのためにロッド５３を押し込んだ際にガス放出路５１からビールが噴出するおそれがない。
【００３９】
本発明は以上の実施形態に限定されることなく、その技術的思想の範囲内において種々の形態で実施してよい。例えば、ディスペンスヘッド内の具体的構成は種々変更可能である。ディスペンスヘッドのノズルの位置、形態も適宜変更してよい。本発明はビールの注出に限らず、各種の炭酸飲料又は清涼飲料の注出に適用可能である。
【００４０】
【発明の効果】
以上説明したように、本発明の傾斜付与手段を備えた飲料注出器によれば、飲料容器がその口部を斜め上に向けた状態に維持されるので、飲料容器内のガスが口部側に集まり、ガス導入路の飲料容器側の流入口が飲料で浸されにくくなる。そのため、横置き姿勢で飲料を注出した場合において、飲料中へのガスの放出による泡立ちを防止しつつ飲料容器内へ注出用のガスを円滑に導入することができる。飲料が少なくなったとき、その残液を内底側に集めることができるので、内底付近に達するチューブを飲料の注出路に接続することにより、残液を効率よく取り出すことができ、注出不可能な飲料の残留量を極力減らすことができる。
【００４１】
また、ガス放出路に逆止弁とその解除手段とを備えた飲料注出器によれば、解除手段を利用して意図的に逆止弁を解除しない限りガス放出路が閉鎖されているので、ガス放出路に飲料が侵入してガス放出時に飲料が噴出するおそれを排除することができる。
【図面の簡単な説明】
【図１】本発明の一実施形態に係る飲料注出器をビール缶に取り付けた状態を示す図。
【図２】図１の飲料注出器を同図の矢印ＩＩ方向からみた側面図。
【図３】飲料注出器のディスペンスヘッドの断面図。
【図４】ディスペンスヘッドに接続されるチューブを示す図。
【図５】ディスペンスヘッドの動作を示す図。
【図６】ガスパージ機構の断面図。
【符号の説明】
１  飲料注出器
２  ディスペンスヘッド
３  ガスボンベ
４  サポート（傾斜付与手段）
１０  ヘッド部
１１  注出部
１３  レバー
１５  本体
１６  ガス導入路
１８  注出路
２２ａ  ガス吐出孔
２５  チューブ
２５ｂ  コイル部
３０  注出弁
５１  ガス放出路
５２  逆止弁
５３  ロッド（解除手段）
６２  逆止弁
１００  ビール缶（飲料容器）
１０１  口部
１０２  底部
１０５  内底
【図１】
2004224391.tif 000003
【図２】
2004224391.tif 000004
【図３】
2004224391.tif 000005
【図４】
2004224391.tif 000006
【図５】
2004224391.tif 000007
【図６】
2004224391.tif 000008